(57)【要約】【課題】列車などの移動車両の接近により危険にさらされる利用者に対しては、通常、駅係員による警告が行われるが、駅係員が見落とす可能性があり、そのような見落としを予防するためには、駅係員を増員するという方策が取られるが、それでも完全に見落としを無くすることは不可能である。【解決手段】移動車両運行データベースを検索した結果により得られた危険情報を、駅構内などで携帯可能な可搬型電子機器を通じて、知らせるようにした。また、携帯可能な可搬型電子機器から移動車両の案内情報を要求する信号を発し、それをシステムの計算機が受信し、その要求に対して応答することにより、移動車両の案内ができるようにした。【選択図】図１
2012051575.tif 000002
【特許請求の範囲】
【請求項１】
移動支援システムに用いられる可搬型電子機器であって、
前記移動支援システムの計算機が、前記可搬型電子機器識別ＩＤに関連付けられた移動車両の利用指定券情報と、発着又は通過する移動車両の運行に関する情報である移動車両運行情報データベースに蓄積された移動車両運行情報とに基づいて生成する車両案内情報を受信する手段と、
前記車両案内情報を表示する表示手段とを備えたことを特徴とする可搬型電子機器。
【請求項２】
前記車両案内情報は、指定券に係る列車の発車プラットホーム情報を含むことを特徴とする請求項１に記載の可搬型電子機器。
【請求項３】
可搬型電子機器の利用者の指定券情報に関する車両案内情報を移動支援システムの計算機に要求し、
該計算機が、可搬型電子機器識別ＩＤに関連付けられた移動車両の利用指定券情報と、発着又は通過する移動車両の運行に関する情報である移動車両運行情報データベースに蓄積された移動車両運行情報とに基づいて、車両案内情報を生成し、
該車両案内情報を前記可搬型電子機器へ送信し、
前記可搬型電子機器が、前記車両案内情報を受信することを特徴とする車両案内情報の取得方法。
【請求項４】
可搬型電子機器の利用者の指定券情報に関する車両案内情報を移動支援システムの計算機に要求するステップと、
該計算機に、可搬型電子機器識別ＩＤに関連付けられた移動車両の利用指定券情報と、発着又は通過する移動車両の運行に関する情報である移動車両運行情報データベースに蓄積された移動車両運行情報とに基づいて、車両案内情報を生成させるステップと、
該車両案内情報を前記可搬型電子機器へ送信させるステップと、
前記可搬型電子機器が、前記車両案内情報を受信するステップとを実行させることを特徴とする可搬型電子機器用のソフトウェア。
【請求項５】
移動支援システムに用いられる構内計算機であって、
該構内計算機は、可搬型電子機器識別ＩＤに関連付けられた移動車両の利用指定券情報と、発着又は通過する移動車両の運行に関する情報である移動車両運行情報データベースに蓄積された移動車両運行情報とに基づいて車両案内情報を生成する手段と、
該車両案内情報を前記可搬型電子機器へ送信する手段とを備えたことを特徴とする構内計算機。
【請求項６】
可搬型電子機器の利用者からの指定券情報に関する車両案内情報の要求に基づいて、移動支援システムの構内計算機が、可搬型電子機器識別ＩＤに関連付けられた移動車両の利用指定券情報と、発着又は通過する移動車両の運行に関する情報である移動車両運行情報データベースに蓄積された移動車両運行情報とに基づいて、車両案内情報を生成するステップと、
該車両案内情報を前記可搬型電子機器へ送信するステップとを実行させることを特徴とする構内計算機用のソフトウェア。
【発明の詳細な説明】
【技術分野】
【０００１】
本発明は、移動支援システムに関するものであり、とりわけ、駅などの移動車両が発着する構内の利用者に対して、移動車両の接近による危険情報の提示や移動車両の運行状況の案内情報の提供のためのメッセージの送受信、および、利用者の検索を行うシステムに関するものである。
【背景技術】
【０００２】
従来、駅などの公共移動車両が発着する構内において利用者に対して危険情報を通知する手段としては、音声による放送、係員による直接の警告が用いられている。また、利用者に対して公共移動車両の運行情報についての通知にも、音声による放送、係員による説明、掲示板、電光板による表示が行われている。
【発明の概要】
【発明が解決しようとする課題】
【０００３】
しかしながら、列車などの移動車両の接近により危険にさらされる利用者に対しては、通常、駅係員による警告が行われるが、駅係員が見落とす可能性があり、そのような見落としを予防するためには、駅係員を増員するという方策が取られるが、それでも完全に見落としを無くすることは不可能である。また、駅などの移動車両が発着する構内において、スピーカーからの放送によって列車等の運行状況を知らせる方法では、そのスピーカーのそばにいる人に一斉に放送が行われるので、放送される情報とは関係のない人にも音声の刺激が伝わるため、そのような人を不愉快にする恐れがある。
【０００４】
その一方、必要な情報を得ようとする人は、常に放送の内容に注意しなくてはならず、不断の緊張を強いることになる。案内表示板の掲示については、音声よりも刺激は少ないといえるが、情報を欲している人に不断の緊張を強いる点では同じである。
【０００５】
また、耳が不自由な人や目が不自由な人は放送が聞き取れず、案内板も見ることができない。更に、日本語の読み書きができない外国人にとっては日本語による放送、案内板表示は全く意味をなさない。
【課題を解決するための手段】
【０００６】
上記問題を解決するために、本件発明においては、移動車両運行データベースを検索した結果により得られた危険情報を、駅構内などで携帯可能な可搬型電子機器を通じて、知らせるようにした。また、携帯可能な可搬型電子機器から移動車両の案内情報を要求する信号を発し、それをシステムの計算機が受信し、その要求に対して応答することにより、移動車両の案内ができるようにした。更に、構内の利用者が次に移動する予定の構内を推定し、移動予定の構内の移動支援システムに連絡を行い、システム間の連携が可能となるようにした。
【発明の効果】
【０００７】
本発明によれば、移動車両が発着する構内の利用者に危険情報を、可搬型電子機器を通じて確実に伝えられるという効果がある。また、利用者が必要とするときに、移動車両の運行情報を伝えることができ、また、利用者が乗るべき移動車両の指定席を案内することが可能となる。更に、他の移動支援システムから可搬型電子機器の所持者情報を検索することを可能とすることにより、異なる移動支援システムに居る利用者が移動する可能性がある構内を知ることができるようになる。この結果、例えば、ある移動支援システムに移動してくる利用者数をシステムが予測でき、適切な係員の配置をすることができ、利用者数に応じた適切なサービスを提供することが可能となる。
【図面の簡単な説明】
【０００８】
【図１】本発明の概念を示す図
【図２】実施形態１の可搬型電子機器の機能ブロック図
【図３】実施形態１の可搬型電子機器のハードウエア概念図
【図４】実施形態１の可搬型電子機器処理の流れの一例を示す図
【図５】実施形態１の可搬型電子機器が受け取る危険情報のＸＭＬフォーマットを用いて表現された一例を示す図
【図６】実施形態２の可搬型電子機器のハードウエア概念図
【図７】実施形態２のシステムの機能ブロックを示す図
【図８】実施形態２の可搬型電子機器の処理の流れを示す図
【図９】実施形態２の要求信号の一例
【図１０】実施形態２の移動支援システムの計算機のハードウエア概念図
【図１１】実施形態２の要求信号を処理するソフトウエアのモジュール構成と関連するデータベースを抜き出して示した概念図
【図１２】移動車両運行データベースの一例を示す図
【図１３】要求信号に対する結果の一例
【図１４】実施形態３の可搬型電子機器で処理するためのソフトウェアのモジュール構成
【図１５】実施形態３の可搬型電子機器が受信した車両案内情報を処理するソフトウエアの処理の流れを示す図
【図１６】実施形態３の計算機の機能ブロックを示す図
【図１７】実施形態４の所持者データベースの一例を示す図
【図１８】実施形態３の計算機の処理の流れを示す図
【図１９】実施形態３の車両案内情報の一例
【図２０】実施形態４の概念図
【図２１】実施形態４の計算機のハードウエアの概念図
【図２２】実施形態４の他の移動支援システムに向けて所持者データベースの検索を行うソフトウェアの動作の一例を示す図
【図２３】実施形態４の検索要求が送られた移動支援システムの計算機での処理の流れを示す図
【図２４】実施形態５の処理の流れを示す図
【図２５】実施形態５のデータベースとそれに関連する機能ブロックの処理の流れを示す図
【図２６】実施形態１の計算機の機能ブロックを示す図
【図２７】実施形態１の計算機の処理の流を示す図
【発明を実施するための形態】
【０００９】
<実施形態１>
【００１０】
本実施形態においては、構内を発着または通過する移動車両の運行状況を格納する移動車両運行情報データベースと、そのデータベースを検索する検索部と、検索部の結果から危険情報を生成する危険情報生成部と、その危険情報を送信する送信部とを備えた計算機と、送信された危険情報を受信する危険情報受信部と、受信された危険情報に応じて所持者に危険を通知する危険通知部とを備えた可搬型電子機器が用いられる。
【００１１】
図１は、この可搬型電子機器の利用の概念を示す図である。この図にあるように、可搬型電子機器を所持した利用者は、電車の接近に応じて可搬型電子機器から鳴動音などによる警告を受け、電車の接近を知り、ホームの白線の内側に下がるなどの危険回避を容易にすることができる。電車の接近は、計算機から送られてくる危険情報により可搬型電子機器に伝えられる。
【００１２】
図１０は、発明のこの実施形態における移動支援システムの計算機のハードウェア構成を示している。ＣＰＵ１０１、メモリ１０２、ディスク１０３、受信部１０４、入力部１０５、表示部１０６、送信部１０７がバス１０８を介して相互に接続されている。ディスク１０３は、ＣＰＵ１０１で実行されるソフトウェアを格納し、また、後述のデータベースを格納することを行う。なお、この実施形態においては、受信部１０４は必須の構成要素ではない。
【００１３】
ディスク１０３に格納されたソフトウェアを実行するためには、メモリ１０２にロードが行われ、ソフトウェアの一時作業領域としてもメモリ１０２が使用される。
【００１４】
入力部１０５は、キーボードやマウスなどからなり、表示部１０６は、ディスプレイなどの計算機の運用者へのデータの表示操作を行う。送信部１０７には、可搬型電子機器へ電波１３を送信するためにアンテナ１５が接続される。入力部１０５、表示部１０６、送信部１０７にはそれぞれの特定のメモリアドレスが割り当てられており、ＣＰＵ１０１で実行されるソフトウェアがそれらの特定のメモリアドレスをとしてデータの読み書きをすることにより、入力部１０５から入力データ、表示部１０６への表示、送信部１０７による電波の送信が行われる。
【００１５】
送信部１１５は、送信部１０７に割り当てられたメモリアドレスに検索結果を書き込むことにより、電波によって検索結果を可搬型電子機器１２に結果を通知する。
【００１６】
図１２は移動車両運行データベースのデータの内容の一例を示しており、各行が移動車両の運行データを表し、各列は左から運行の日付、移動車両名、移動車両の到着予定時刻、移動車両の発車予定時刻、移動車両が停車あるいは通過する番線、移動車両が停車するか通過するかどうか、移動車両の運行状況、次の停車駅を表している。
【００１７】
図２６は、ＣＰＵ１０１で実行される本発明の実施形態にかかわるソフトウェアの構成と関連するデータベースについて示している。検索部２６２が移動車両運行データベース２６１を検索することにより、現時点において構内に停車、あるいは、通過、あるいは、発車しようとする列車の情報を検索し、その結果を危険情報生成部２６３において危険情報にまとめ、送信部２６４により危険情報を送信する。この送信部２６４は、図１０の計算機のハードウェアを構成する送信部１０７に割り当てられた特定のメモリアドレスにデータを書き込むことにより、データの送信を行う。
【００１８】
図２７は図２６の構成をもつソフトウェアの動作について説明したフローチャートである。ステップ２７１において現在の時刻を得る。現在の時刻は図１０に示した計算機で管理されており、例えば、メモリの特定のアドレスに常に現在の時刻を書き込む別のソフトウェアがＣＰＵ１０１で実行されているとする構成や、あるいは、図１０に図示されていない時刻を管理する部分がバス１０８に接続されており、その部分に割り当てられたメモリアドレスを読むことにより現在の時刻を得るようにする構成が考えられる。
【００１９】
次にステップ２７２において、移動車両運行データベースを検索し、現在の時刻において構内に停車、あるいは、通過、あるいは、発車する移動車両の検索を行う。この検索は、現在の時刻と移動車両運行データベースの移動車両の停車時刻あるいは、発車時刻の列の値とが一致する行を検索する問い合わせ文を発行することにより実行することができる。
【００２０】
次にステップ２７３において、検索された結果があるかどうかを判断し、結果が空であれば、現在の時刻において構内に停車、あるいは、通過、あるいは発車する移動車両がないので、危険は発生しておらず、ソフトウェアは終了する。もし、検索された結果がある場合は、ステップ２７４において、後述のような危険情報を生成し、ステップ２７５において、生成された危険情報を送信部２６４に渡すことにより、可搬型電子機器に向けて送信を行う。
【００２１】
危険情報の送信は、ステップ２７２で検索された移動車両が停車、あるいは、通過、あるいは、発車するプラットホームにある計算機に接続されたアンテナのみから送信し、移動車両の停車、あるいは、通過、あるいは、発車による危険が及ぶ利用者に対して危険情報が通知されるようにすることが考えられる。
【００２２】
図５は、ステップ２７４において危険情報生成部２６３にて生成され、ステップ２７５において送信部２６４で可搬型電子機器に向けて送信される危険情報のＸＭＬフォーマットを用いて表現された一例を示している。この例においては、「<…>」と「<／…>」が括弧のように対応し、「…」の部分が「<…>」と「<／…>」とで囲まれる部分の文字列の意味を表す。
【００２３】
図５の例においては、まず最初の「<ＤＡＮＧＥＲ>」が危険情報であることを表し、「<ＴＹＰＥ>」と「<／ＴＹＰＥ>」とで囲まれる「ｔｒａｉｎ  ａｐｐｒｏａｃｈｉｎｇ」が危険の種類を表である列車接近を意味し、「<ＬＥＶＥＬ>」と「<／ＬＥＶＥＬ>」で囲まれる「３」が危険のレベルを表している。例えば、５が通過列車である場合、３が停車する列車の接近、１が停車する直前の列車の存在を表すようにレベルが用いられる。
【００２４】
図２を用いて、実施形態１における、危険情報受信部と、危険通知部とを有する可搬型電子機器について説明する。危険情報受信部は、駅構内に配置された計算機や、駅構内から通信可能に接続された計算機が発信する構内を移動する移動車両に関する危険情報を受信する。また、前記危険通知部は、前記危険情報受信部から得られた危険情報に基づいて振動または鳴動音または光を発する。
【００２５】
このような構成の実現手段としては、図３に示すハードウェア構成によるものがあり、ＣＰＵ３１、不揮発性メモリ３２、揮発性メモリ３３、受信部３４、危険通知部３５がバス３６を介して相互に接続されている。不揮発性メモリ３２には、後述の図４で示される作用を行うソフトウェアが格納されており、
【００２６】
図示されていない電源スイッチの投入により、そのソフトウェアが揮発性メモリ３３にロードされＣＰＵ３１により実行が可能となる。受信部３４と、危険通知部３５とは、ＣＰＵ３１からは特定のメモリアドレスを通してのデータの交換が可能なようにバス３６に接続されている。すなわち受信部３４は、計算機から送信されるデータを受信し、受信したデータが受信部３４に割り当てられた特定のメモリアドレスに書き込まれたデータとして得られ、ＣＰＵ３１から危険通知部３５に割り当てられた特定のメモリアドレスにデータを書き込むことにより危険通知部３５の駆動が制御できるようになっている。
【００２７】
したがって、ＣＰＵ３１で実行されるソフトウェアにおいては、受信部３４に割り当てられた特定のメモリアドレスのデータを読み取るモジュール部分が危険情報受信部２１に対応し、危険通知部の特定のメモリアドレスにデータを書き込むモジュール部分が危険通知部２２に対応することになる。ＣＰＵ３１で実行されるソフトウェアは図４に示される動作をし、ステップ４１において、危険情報受信手段２１が危険情報を受信したかどうかを判断する。
【００２８】
もし、危険情報を受信した場合は、ステップ４２において受信部３４の特定のメモリアドレスから危険情報を読み取り、解析を行う。そしてステップ４３において、ステップ４２の解析結果に基づいて危険通知部３５に割り当てられた特定のメモリアドレスにデータを書き込むことにより、危険通知部３５を駆動する。危険通知部３５は、図５に例が示された危険情報の危険の種類とレベルに応じた危険通知をし、重りが取り付けられた回転軸を用いたモータを動作させることにより、振動を利用者１１に危険が存在することを伝えたり、あるいは、フラッシュランプの点滅、スピーカーからのブザー音の発呼により危険の存在を伝える。
【００２９】
<実施形態２>
【００３０】
次に実施形態２について説明する。この実施の形態は、可搬型電子機器と、計算機とからなる構内で利用される移動支援システムである。
【００３１】
図７に示すように、この可搬型電子機器は、要求信号生成部と、送信部とを有する。要求信号生成部は、構内を発着し、又は通過する移動車両の運行に関する情報である移動車両運行情報の取得の要求である移動車両運行情報取得要求信号を生成する。送信部は、前記要求信号生成部が生成した移動車両運行情報取得要求信号を送信する。
【００３２】
また、計算機は、要求受信部と、移動車両運行情報データベースと移動車両運行情報検索部と、検索結果取得部と、送信部とを有する。前記要求受信部は、前記送信部から送信された移動車両運行情報取得要求信号を受信する。移動車両運行情報データベースは、前記構内に発着し、又は通過する移動車両の運行に関する情報である運行情報を保持する。移動車両運行情報検索部は、前記要求受信部が受信した移動車両運行情報取得要求信号に基づいて前記移動車両運行情報データベースを検索する。検索結果取得部は、前記検索部で検索した結果である移動車両運行検索結果を取得する。送信部は、前記検索結果取得部で取得した移動車両運行検索結果を前記可搬型電子機器に送信する。
【００３３】
図６は、この実施形態における可搬型電子機器のハードウェア構成を示しており、ＣＰＵ６１、不揮発性メモリ６２、揮発性メモリ６３、受信部６４、はそれぞれ、図３のＣＰＵ３１、不揮発性メモリ３２、揮発性メモリ３３、受信部３４に対応し、これらに加えて、操作ボタン６５、表示部６６、送信部６７がバス６８を介して相互に接続されている。操作ボタン６５、表示部６６、送信部６７には特定のメモリアドレスがそれぞれ割り当てられており、それらの特定のメモリアドレスを通したデータの読み書きにより、操作ボタン６５の操作状況をＣＰＵ６１で実行されるソフトウェアが知ること、また、表示部６６に文字等の表示を行うこと、データを電波を用いて発信することができるようになっている。
【００３４】
図７は別言すれば、ＣＰＵ６１で実行されるソフトウェアのモジュール構成を示しており、要求信号生成部７１と送信部７２からなる。要求信号生成部７１は、操作ボタン６５に割り当てられたメモリアドレスのデータを読むことにより、操作ボタンの状態を知り、利用者１１の操作内容を解析し、計算機１６へ送る要求信号を生成する。送信部７２は、要求信号生成部７１で生成された要求信号を送信部６７に割り当てられたメモリアドレスへ書き込むことにより、要求信号を電波によって送信することを行う。
【００３５】
図８はＣＰＵ６１で実行されるソフトウェアの動作を示したフローチャートであり、ステップ８１において、操作ボタン６５から伝えられる移動車両運行情報の要求を受け付ける。ステップ８２においては、受け付けた要求からそれに応じた要求信号を生成することを行う。ステップ８３においては、送信部６７に割り当てられたメモリアドレスへ要求信号を書き込むことにより、要求信号が電波によって送信される。
【００３６】
図９は要求信号の１例を示しており、図５と同じようにＸＭＬを用いた例である。図９では、「こだま２３５号」の移動車両運行情報を要求する要求信号の例が示されている。
【００３７】
図１０は、発明のこの実施形態における移動支援システムの計算機のハードウェア構成を示している。ＣＰＵ１０１、メモリ１０２、ディスク１０３、受信部１０４、入力部１０５、表示部１０６、送信部１０７がバス１０８を介して相互に接続されている。ディスク１０３は、ＣＰＵ１０１で実行されるソフトウェアを格納し、また、後述のデータベースを格納することを行う。
【００３８】
ディスク１０３に格納されたソフトウェアを実行するためには、メモリ１０２にロードが行われ、ソフトウェアの一時作業領域としてもメモリ１０２が使用される。受信部１０４には、可搬型電子機器から送信された電波１４を受信するアンテナ１５が接続され、ＣＰＵ１０１で実行されるプログラムは、受信されたアンテナに載せられたデータを、受信部１０４に割り当てられた特定のメモリアドレスから読み取ることができるようになっている。
【００３９】
入力部１０５は、キーボードやマウスなどからなり、表示部１０６は、ディスプレイなどの計算機の運用者へのデータの表示操作を行う。送信部１０７には、可搬型電子機器へ電波１３を送信するためにアンテナ１５が接続される。入力部１０５、表示部１０６、送信部１０７にはそれぞれの特定のメモリアドレスが割り当てられており、ＣＰＵ１０１で実行されるソフトウェアがそれらの特定のメモリアドレスをとしてデータの読み書きをすることにより、入力部１０５から入力データ、表示部１０６への表示、送信部１０７による電波の送信が行われる。
【００４０】
図１１は、可搬型電子機器から送信された移動車両運行情報の要求信号を処理するソフトウェアのモジュール構成と関連するデータベースを抜き出して示したものである。要求受信部１１１、移動車両運行情報検索部１１２、検索結果１１４、送信部１１５、移動車両運行データベース１１３からなる。要求受信部１１１は受信部１０４に割り当てられたメモリアドレスを読み取ることにより、可搬型電子機器から送信された移動車両運行情報の要求信号を読み取る。移動車両運行情報検索部は要求信号を解析し、移動車両運行データベース１１３に対して検索の要求を出す。検索結果取得部１１３は移動車両運行情報検索部１１２が出した検索の要求に対する結果を受け取り、送信部１１５に送る。送信部１１５は、送信部１０７に割り当てられたメモリアドレスに検索結果を書き込むことにより、電波によって検索結果を可搬型電子機器１２に結果を通知する。
【００４１】
図１２は移動車両運行データベースのデータの内容の一例を示しており、各行が移動車両の運行データを表し、各列は左から運行の日付、移動車両名、移動車両の到着予定時刻、移動車両の発車予定時刻、移動車両が停車あるいは通過する番線、移動車両が停車するか通過するかどうか、移動車両の運行状況、次の停車駅を表している。
【００４２】
図９で示される移動車両運行情報の要求信号を要求受信部１１１が受信した場合には、「<列車名>」と「<／列車名>」とで囲まれる「こだま２３５号」が移動車両運行情報検索部で抽出され、第２列が「こだま２３５号」に等しい行を得るデータベースの問い合わせ文が移動車両運行データベース１１３に対して発行される。移動車両運行データベース１１３の内容が図１２に示すものである場合には、移動車両運行データベースは、最初の行を結果として返し、検索結果取得部１１４がその結果を取得し、図１３に示すデータを作り、送信部１１５へ渡すことを行い、要求信号に対する結果が可搬型電子機器に返される。
【００４３】
以上説明したように、実施形態２においては、データベースに蓄積されている種々の移動車両運行に関する情報を取得できるので、構内に居ながらにして、遠くを走っている移動車両の様子を知ることができたり、これに伴って、駅構内での待ち合わせや、移動車両の選択、ホームの移動、などを的確に行うことができる。
【００４４】
<実施形態３>
【００４５】
次に実施形態３について説明する。実施形態３は、前記実施形態２の計算機が、指定券情報入力部と、車両案内情報生成部と、車両案内情報送信部とをさらに有し、前記可搬型電子機器が、車両案内情報受信部を有する移動支援システムである。
【００４６】
図１６に示すように、指定券情報入力部は、可搬型電子機器識別ＩＤと関連付けて構内を発着する移動車両の利用指定券情報を入力する。また車両案内情報生成部は、前記指定券情報と、前記移動車両運行情報データベースに蓄積された移動車両運行情報とに基づいて車両案内情報を生成する。車両案内情報送信部は、前記車両案内情報生成部で生成された車両案内情報を送信する。
【００４７】
また、前記可搬型電子機器の車両案内情報受信部は、前記計算機の車両案内情報送信部から送信される車両案内情報を受信する。
【００４８】
図１６は別言すれば、発明の実施形態３に対応する計算機１６で実行されるソフトウェアのモジュール構成と関連するデータベースを示した図である。指定券情報入力部１６１は、入力部１０５から入力された可搬型電子機器ＩＤと指定券情報を読み取る。車両案内情報生成部１６２は、指定券情報入力部から入力された指定券情報から移動車両運行情報データベースを検索し、その検索結果から車両案内情報を作る。車両案内情報送信部１６３は、指定券情報入力部１６１から入力された可搬型電子機器ＩＤと車両案内情報生成部１６２で生成された車両案内情報とを送信部１０７に割り当てられたメモリアドレスに書き込むことにより、可搬型電子機器に車両案内情報を送信する。
【００４９】
図１８は、本実施形態での計算機で実行されるソフトウェアの動作を示す。まず、ステップ１８１において指定券情報１６１を用いて可搬型電子機器ＩＤと指定券情報とを読み取り、メモリ１０２へ格納する。指定券情報は、移動車両名、座席番号から成る。ステップ１８３において、車両案内情報生成部を用いて移動車両運行データベースを検索し、データベースの中の当日に発車する列車であって移動車両名が指定券情報の移動車両名と等しい移動車両の情報を検索する。
【００５０】
次にステップ１８４において、指定券情報、ステップ１８３で検索された移動車両情報から、車両案内情報を生成する。最後にステップ１８５において、ステップ１８４で生成された車両案内情報をステップ１８１で読み取った可搬型電子機器ＩＤへ送信するために、車両案内情報送信部１６３を用いて送信部１０７に割り当てられたメモリアドレスに書き込むことを行う。
【００５１】
図１９は図１８のステップ１８４で生成される車両案内情報の一例を示しており、「こだま２３５号」の発車ホームが「１６番線」であり、発車時刻が「１０時４１分」、座席が「３号車３Ｄ」であることを意味している。
【００５２】
図１４は、図１８のフローチャートで生成、送信されたデータを可搬型電子機器１２で処理するためのソフトウェアのモジュール構成を示しており、車両案内情報受信部１４１、車両案内情報解析部１４２、車両案内表示部１４３からなる。車両案内情報受信部１４１は、受信部６７で受信された車両案内情報を読み取ることを行い、車両案内情報解析部１４２は、車両案内情報受信部１４１で読み取った車両案内情報を解析することを行い、車両案内表示部１４３は、解析結果に基づき、表示部６６に車両案内を表示することを行う。
【００５３】
図１５は、受信した車両案内情報を処理するソフトウェアの動作を示しており、ステップ１５１において、車両案内情報受信部を用いて受信した車両案内情報を揮発性メモリ６３へ書き込むことを行う。ステップ１５２において、揮発性メモリ６３へ書きこまれた車両案内情報を車両案内情報解析部１４２を用いて解析を行い、ステップ１５３において、車両案内表示部を用いて、車両案内を表示部６６に表示することを行う。
【００５４】
なお、あらかじめ表示言語を設定することにより、設定された言語で車両案内表示がされるように車両案内情報解析部１４２を作ることも考えられる。
【００５５】
<実施形態４>
【００５６】
次に実施形態４について説明する。実施形態４は、実施形態２で説明した移動支援システムが、さらに所持者データベースを有するというものである。この所持者データベースは、前記可搬型電子機器識別ＩＤにより識別される可搬型電子機器所持者に関する情報を保持するものである。また、この所持者データベースは、さらに、他の構内において利用される他の移動支援システムからも検索が可能となっている。
【００５７】
図２０は本発明の実施形態の１つを示す。図２０においては、複数の移動支援システムの計算機２０１と２０２とが通信網２０３を通じて接続され、計算機の間で相互に通信ができるようになっている。また、移動支援システムには、所持者データベースが設けられており、この所持者データベースは他の移動支援システムからも検索が可能である。
【００５８】
図２１は、本実施形態での計算機のハードウェア構成を示しており、ＣＰＵ２１１，メモリ２１２、ディスク２１３、受信部２１４、入力部２１５、表示部２１６、送信部２１７、通信部２１９がバス２１８を通じて相互に接続されている。ＣＰＵ２１１，メモリ２１２、ディスク２１３、受信部２１４、入力部２１５、表示部２１６、送信部２１７は図１０のＣＰＵ１０１、メモリ１０２、ディスク１０３、受信部１０４、入力部１０５、表示部１０６、送信部１０７にそれぞれ対応し、同じ機能を持つ。通信部２１９は通信網２０３に接続され、通信網２０３を介して他の計算機との通信を司る。
【００５９】
図２２は、他の移動支援システムに向けて所持者データベースの検索を行うソフトウェアの動作を示す。ステップ２２１において、入力部２１５に入力された他移動支援システムと可搬型電子機器ＩＤを受け取る。ステップ２２２において、入力された他移動支援システムに対して入力された可搬型電子機器ＩＤの検索要求を通信部２１９に対して送る。ステップ２２３において、検索要求に対する結果を受け取ることを行う。
【００６０】
図２３は検索要求が送られた移動支援システムの計算機で動作するソフトウェアの動作を示す。ステップ２３１においては、検索対象となる可搬型電子機器ＩＤを受け取り、メモリ２１２の所定のアドレスに書き込む。ステップ２３２では、所定のアドレスに書きこまれた可搬型電子機器ＩＤから所持者データベースを検索する問い合わせを発行する。ステップ２３３では、ステップ２３２で発行された検索の問い合わせの結果を受け取ることを行う。ステップ２３４では、ステップ２３３で受け取った検索の問い合わせの結果を要求元である他移動支援システムの計算機へ送るように通信部２１９を制御する。
【００６１】
図１７は所持者データベースの一例を示しており、各行が所持者の情報を表しており、各列は左から所持者が所持している可搬型電子機器の可搬型電子機器ＩＤ、所持者が居る構内の移動支援システムのＩＤ、構内における所持者の場所、所持者が次に移動するであろう構内の移動支援システムＩＤを意味する。ステップ２３２においては、検索対象となる可搬型電子機器ＩＤと一番左の列の可搬型電子機器ＩＤが等しい行が検索されることになる。
【００６２】
図２２と図２３とに示されたソフトウェアを通信網で接続された計算機で動かすことにより、他の構内において利用される他移動支援システムの所持者データベースを検索することが可能となる。
【００６３】
<実施形態５>
【００６４】
次に実施形態５について説明する。この実施形態は、前記計算機は、移動支援システムＩＤ保持部と、送信部とを有するというものである。移動支援システムＩＤ保持部は、移動支援システムを他の移動支援システムと区別するためのＩＤ（識別符号）である。
【００６５】
また、この送信部は、前記移動車両運行情報データベースを検索して可搬型電子機器を保持する者が移動する可能性がある他の構内の移動支援システムの移動支援システムＩＤを取得し、前記他の移動支援システムＩＤで識別される移動支援システムの計算機に対して、前記可搬型電子機器識別ＩＤと前記移動支援システムＩＤ保持部が保持している移動支援システムＩＤを送信する。
【００６６】
本発明の実施形態５を実現するための詳細をさらに説明する。計算機を図２０のように複数通信網で接続する。図２５は、発明の実施の一形態で用いられる移動支援システムの計算で動作するソフトウェアのモジュール構成と関連するデータベースを示し、所持者データベース検索部２５１、所持者データベース検索結果取得部２５２、移動車両運行情報データベース検索部２５３、移動車両運区情報データベース検索結果取得部２５４、移動支援システムＩＤ保持部２５８、送信部２５５、所持者データベース２５６、移動車両運行情報データベース２５７からなる。
【００６７】
所持者データベース２５６は可搬型電子機器を所持する所持者の情報を格納し、図１７にその内容の一例が示されている。移動車両運行情報データベース２５７は移動車両の運行情報を格納し、図１２にその内容の一例が示されている。移動支援システムＩＤ保持部は、メモリ２１２の所定のアドレスに書きこまれた移動支援システムＩＤを得る機能を提供する。所持者データベース検索部２５１は、自移動支援システムの構内に居る所持者の構内の位置を検索することを行う。所持者データベース検索結果取得部２５２は、所持者データベース検索部２５１が行った検索結果から、所持者の居る位置を得る。
【００６８】
移動車両運行情報データベース検索部２５３は、所持者が次に行く可能性がある構内の移動支援システムＩＤを得るために所持者データベース検索結果取得部２５２が得た所持者の位置から最も近い場所から発車する移動車両を移動車両運行情報データベースを検索することを行うことを行う。移動車両運行情報データベース検索結果取得部２５４は、移動車両運行情報データベース検索部２５３が行った検索結果から、移動車両が次に行く構内の移動支援システムＩＤを得ることを行う。送信部２５５は、移動車両運行情報データベース検索結果取得部２５４が得た移動支援システムＩＤへ、可搬型電子機器ＩＤと移動支援システムＩＤ保持部から得られる移動支援システムＩＤとを送ることを行う。
【００６９】
図２４は、図２５のモジュール構成を持つソフトウェアの動作を表す。ステップ２４２において、所持者データベース検索部２５１と移動支援システムＩＤ保持部２５８を用いて、所持者データベース２５６を検索し、自移動支援システムの構内に居る所持者を検索する。この検索のためには、図１７に示す所持者データベースの第２列が自移動支援システムのＩＤを保持する移動支援システムＩＤ保持部と等しい行を検索する問い合わせを所持者データベース２５６に対して発行する。ステップ２４３においては、所持者データベース検索結果取得部を使ってステップ２４２の検索結果を得て、自移動支援システムの構内に居る所持者の所持している可搬型電子機器ＩＤとその所持者の構内での位置を求める。
【００７０】
ステップ２４４においては、所持者の構内の位置から最も近いプラットホームを求め、移動車両運行情報データベース検索部２５３を用いて、そのプラットホームから発車予定の移動列車が次に向かう移動支援システムのＩＤを検索する問い合わせを移動車両運行情報データベースに対して発行する。ステップ２４５においては、移動車両運行情報データベース検索結果取得部２５４を用いて、ステップ２４４が発した問い合わせの検索結果を得て、どの所持者が次に向かう可能性がある移動支援システムのＩＤを得る。最後にステップ２４６において、送信部２５５を用いて、所持者が向かう可能性がある移動支援システムへ対して、所持者が所持する可搬型電子機器ＩＤと自移動支援システムＩＤを送信する。
【符号の説明】
【００７１】
１１  所持者
１２  可搬型電子機器
１３  移動支援支援システムの計算機が送信する電波
１４  可搬型電子機器が送信する電波
１５  計算機に接続されたアンテナ
１６  移動支援システムの計算機
２０  可搬型電子機器
２１  危険情報受信部
２２  危険通知部
７１  要求信号生成部
７２  送信部
１１１  要求受信部
１１２  移動車両運行情報検索部
１１３  移動車両運行データベース
１１４  検索結果取得部
１１５  送信部
１４１  車両案内情報受信部
１４２  車両案内情報解析部
１４３  車両案内表示部
１６１  指定券情報入力部
１６２  車両案内情報生成部
１６３  車両案内情報送信部
１６４  移動車両運行情報データベース
２０１  移動支援システムの計算機
２０２  移動支援システムの計算機
２０３  通信網
２５１  所持者データベース検索部
２５２  所持者データベース検索結果取得部
２５３  移動車両運行情報データベース検索部
２５４  移動車両運行情報データベース検索結果取得部
２５５  送信部
２５６  所持者データベース
２５７  移動車両運行情報データベース
【図１】
2012051575.tif 000003
【図２】
2012051575.tif 000004
【図３】
2012051575.tif 000005
【図４】
2012051575.tif 000006
【図５】
2012051575.tif 000007
【図６】
2012051575.tif 000008
【図７】
2012051575.tif 000009
【図８】
2012051575.tif 000010
【図９】
2012051575.tif 000011
【図１０】
2012051575.tif 000012
【図１１】
2012051575.tif 000013
【図１２】
2012051575.tif 000014
【図１３】
2012051575.tif 000015
【図１４】
2012051575.tif 000016
【図１５】
2012051575.tif 000017
【図１６】
2012051575.tif 000018
【図１７】
2012051575.tif 000019
【図１８】
2012051575.tif 000020
【図１９】
2012051575.tif 000021
【図２０】
2012051575.tif 000022
【図２１】
2012051575.tif 000023
【図２２】
2012051575.tif 000024
【図２３】
2012051575.tif 000025
【図２４】
2012051575.tif 000026
【図２５】
2012051575.tif 000027
【図２６】
2012051575.tif 000028
【図２７】
2012051575.tif 000029